(57)【要約】      （修正有） 【課題】シェルと電子カードとの間の係合を補強し、シェルが第２シールドから外れることを防止し、電子カードを強化し、破損し難い電子カードのカプセル構造にする。 【解決手段】電子カードのカプセル構造１００は、絶縁性本体２と、該絶縁性本体の上に取り付けられる第１シールド３と、前記絶縁性本体の下に取り付けられる第２シールド４と、第２シールドと係合するシェル６と、を備える。絶縁性本体は、主体ビーム２２と、該主体ビームから延在する一対の延在ビーム２１と、該主体ビームに隣接して複数の第１係合部が設けられる収納部５と、を含む。第２シールドは絶縁性本体の延在ビームと係合する。シェルは収納部を覆う。前記シェルには、前記収納部の複数の第１係合部と複数の第２係合部が設けられ、両者を係合することによって、絶縁性本体に固着される。 【選択図】図１
0003134126.tif 000002
【実用新案登録請求の範囲】
【請求項１】
主体ビームと、該主体ビームから延在する一対の延在ビームと、前記主体ビームに隣接して複数の第１係合部が設けられる収納部と、を含む絶縁性本体と、
該絶縁性本体の上に取り付けられる第１シールドと、
前記絶縁性本体の下に取り付けられ、前記絶縁性本体の延在ビームに係合する第２シールドと、
該第２シールドに係合し、前記収納部を覆い、前記収納部の複数の第１係合部に係合する複数の第２係合部が設けられるシェルと、
を備え、前記シェルは、前記第２係合部が前記第１係合部に係合することによって、前記絶縁性本体に固着されることを特徴とする電子カードのカプセル構造。 
【請求項２】
前記収納部が一対の第１側壁を含み、前記第１係合部が前記第１側壁に形成される係合穴であり、前記シェルが一対の側延在部を有し、前記第２係合部が前記係合穴に嵌め込まれる突出部であることを特徴とする請求項１に記載の電子カードのカプセル構造。 
【請求項３】
前記収納部の係合穴は、対応する前記第１側壁の内表面から凹んではいるが前記第１側壁を貫通しないように形成されていることを特徴とする請求項２に記載の電子カードのカプセル構造。
【請求項４】
前記収納部の係合穴は、対応する前記第１側壁を貫通することを特徴とする請求項２に記載の電子カードのカプセル構造。
【請求項５】
前記突出部には、前記突出部と前記係合穴との係合を補強するための肋部が、前記突出部の側部から前記シェルの対応する側延在部まで延在して設けられていることを特徴とする請求項２に記載の電子カードのカプセル構造。
【請求項６】
前記収納部は複数の凸状部片が設けられる前壁を含み、前記シェルは、前記複数の凸状部片に係合する複数の係合スロットが形成される、前延在部を有することを特徴とする請求項２に記載の電子カードのカプセル構造。 
【請求項７】
各前記延在ビームの前端には、前記シェルの側延在部が当接する端面が設けられることを特徴とする請求項２に記載の電子カードのカプセル構造。
【請求項８】
前記絶縁性本体には、前記延在ビームに設けられるガイド面及び段差部と、延在ビームに形成されて第２シールドを装着するための凹部が設けられるとともに、前記一対の延在ビームの後端を連接する連接ビームと、各前記延在ビームの後端から後方に延在する尾ビームと、を含むことを特徴とする請求項２に記載の電子カードのカプセル構造。
【請求項９】
前記各延在ビームの前端には、装着された前記第１シールドを外すために使用される凹溝が、主体ビームの近傍に形成されることを特徴とする請求項７に記載の電子カードのカプセル構造。
【請求項１０】
前記第１シールドには複数の定位片が設けられ、前記絶縁性本体には前記複数の定位片を挿入する複数の係合溝が形成されることを特徴とする請求項１に記載の電子カードのカプセル構造。 
【請求項１１】
前記収納部には、導入柱が設けられることを特徴とする請求項１に記載の電子カードのカプセル構造。
【請求項１２】
前記収納部には、観測に用いられる複数の孔が形成されることを特徴とする請求項１に記載の電子カードのカプセル構造。 
【考案の詳細な説明】
【技術分野】
【０００１】
本考案は、コンピュータ、デジタルカメラ等、各種電子機器に使用される電子カードのカプセル構造に関するものである。 
【背景技術】
【０００２】
従来技術の電子カードのカプセル構造として、特許文献１に開示された電子カードのカプセル構造が知られ、この電子カードのカプセル構造は、収納部が設けられる絶縁性本体と、絶縁性本体の下に組み合わせられたシールドと、下シールドに実装されて収納部に係合するシェルと、を備える。該シールドの前端には、前方に突出する第１係合部が設けられる。シェルの後端には、前記第１係合部と係合する第２係合部が設けられる。該シェルは、第２係合部が第１係合部と係合することによって、シールドに実装されて絶縁性本体の収納部を覆う。
【特許文献１】中国実用新案第２５６７６３０号明細書
【考案の開示】
【考案が解決しようとする課題】
【０００３】
特許文献１に示す電子カードのカプセル構造のシールドとシェルは、第２係合部が第１係合部と係合することによって互いに連接される。こ方法では、シェルをシールドにしっかりと固着することはできない。このようなカプセル構造を具備する電子カードが間違った方法で使用されて捻られた時には、シェルはシールドから外れ易い。これにより、このような電子カードは容易に破損される。
【０００４】
そこで本考案の目的は、上述の従来技術の問題に鑑み、シェルと電子カードとの間の係合を補強して、シェルが第２シールドから外れることを防止でき、該電子カードが破損し難い電子カードのカプセル構造を提供することである。 
【課題を解決するための手段】
【０００５】
本考案の電子カードのカプセル構造は、絶縁性本体と、該絶縁性本体の上に取り付けられる第１シールドと、該絶縁性本体の下に取り付けられる第２シールドと、第２シールドに係合するシェルと、を備える。絶縁性本体は、主体ビームと、該主体ビームから延在する一対の延在ビームと、前記主体ビームに隣接して複数の第１係合部が設けられた収納部と、を含む。第２シールドは、絶縁性本体の延在ビームに係合する。シェルは収納部を覆う。前記シェルには、前記収納部の複数の第１係合部に係合する複数の第２係合部が設けられる。前記シェルは、前記第２係合部が前記第１係合部と係合することによって、絶縁性本体に固着される。
【考案の効果】
【０００６】
従来の技術に比較して本考案は以下の効果を有する。該カプセル構造を具備する電子カードが捻られても、シェルは、第２係合部が絶縁性本体の第１係合部と係合することによって、第２シールドから外れ難い。
【考案を実施するための最良の形態】
【０００７】
以下、この考案の実施の形態を添付の図を参照して説明する。 
【０００８】
図１〜図５を参照すると、該電子カードのカプセル構造１００は、収納部５が設けられる絶縁性本体２と、該絶縁性本体２の上に取り付けられる第１シールド３と、該絶縁性本体２の下に実装される第２シールド４と、第２シールド４に連接されて収納部５を覆うシェル６と、を備える。
【０００９】
図１および図２に示すように、絶縁性本体２は、下向きに開口する収納部５と、該収納部５の後端から延在して端面２１５を含む一対の延在ビーム２１と、該一対の延在ビーム２１の前端を連接して収納部５の後端に隣接する主体ビーム２２と、前記一対の延在ビーム２１の後端を連接して前記主体ビーム２２と平行に延在する連接ビーム２３と、前記一対の延在ビーム２１の後端から後方に延在する一対の尾ビーム２４と、を備える。
【００１０】
収納部５は、頂壁５６と、頂壁５６から下向きに延在する前壁５１と、一対の第１側壁５０と、前壁５１に対向する第２側壁５２と、を有する。第２側壁５２は、頂壁５１の後辺から主体ビーム２２まで下向きに傾斜するように延在する。頂壁５６は該電子カードの正面を示すために用いられる。頂壁５６には、二つの小さい孔５６０が形成される。電子カードが製造された後、これら小さい孔５６０によって、データを転送することを示すＬＥＤ（Ｌｉｇｈｔ  Ｅｍｉｔｔｉｎｇ  Ｄｉｏｄｅ）を観測できる。前壁５１の底辺には、複数の凸状部片５３が設けられる。各第１側壁５０の内表面には、回路基板（図示せず）を導入するための複数の導入柱５５が設けられる。
【００１１】
図３に示すように、各第１側壁５０の下部には、矩形の係合穴５４が、主体ビーム２２に近付く位置に形成される。この係合穴５４は、第１側壁５０の内表面から凹んで形成されており、第１側壁５０を貫通してしない。もちろん、係合穴５４は第１側壁５０を貫通しても良い。
【００１２】
図１及び図２に示すように、各延在ビーム２１の内表面には、回路基板を定位するための段差部２１３が設けられる。各延在ビーム２１の外表面には、ガイド面２１０と、後端に形成されて第２シールド４を装着するための凹部２１１と、主体ビーム２２の近傍に形成される凹溝２１２と、を含む。実装された第１シールド３を外す時、外すための工具は、この凹溝２１２に挿入できる。各尾ビーム２４には、第３定位溝２４１と定位スロット２４２とが形成される。一対の尾ビーム２４の間には、コネクタ（図示せず）を収納する収納スペース２５が形成される。
【００１３】
実質的に矩形の第１シールド３と第２シールド４は、金属材料によって製造される。第１シールド３は、四つの側辺３０と、後端に形成される開口部３４と、を備える。第１シールド３の前端と中間と後端とには、それぞれ複数の第１定位片３３と第２定位片３１と第３定位片３２とが設けられる。
【００１４】
第２シールド４は、本体部４０と、本体部４０の前端から前方に突出する一対の係合片４２と、本体部４０の側辺から上向きに延出する一対の側壁４３と、本体部４０の後端から上向きに突出する一対の突出片４１と、を含む。各係合片４２には、係合溝４２１が形成される。
【００１５】
図４に示すように、実質的に矩形のシェル６には、底部６４と、複数の係合スロット６２が形成される前延在部６１と、一対の側延在部６０と、一対の係合部６３０が設けられた後部６３と、を具備する。各側延在部６０には、内方に突出する突出部６５が、設けられる。該突出部６５は、実質的に直方体状に形成され、肋部６５１が設けられる。該肋部６５１は、突出部６５の側部から対応する側延在部６０まで延在する。
【００１６】
図１乃至図５に示すように、該電子カードのカプセル構造１００を取り付ける場合、先ず、回路基板を絶縁性本体２に装着する。回路基板に設けられた電子部材（図示せず）は、収納部５に収納される。収納部５は、電子部材を収納しない場合には、標示するために用いられる。次に、第１、第２シールド３，４は、それぞれ絶縁性本体２の上方と下方に装着される。第１シールド３の第１定位片３３と、第２定位片３１と、第３定位片３２とは、それぞれ絶縁性本体２の主体ビーム２２の第１定位溝２２０と、延在ビーム２１の第２定位溝２１４と、尾ビームの２４の第３定位溝２４１とに挿入される。これにより、第１シールド３は絶縁性本体２に固着される。第２シールド４の側壁４３は、絶縁性本体２の延在ビーム２１をカバーする。第２シールド４の突出片４１は、絶縁性本体２の定位スロット２４２に嵌め込まれる。
【００１７】
最後に、シェル６は、第２シールド４に組み合わせられ、絶縁性本体２の収納部５に係合する。シェル６の係合部６３０は、第２シールド４の係合溝４２１に係合する。シェル６の側延在部６０は、絶縁性本体２の延在ビーム２１の端面２１５に当接する。シェル６の突出部６５は、収納部５の係合穴５４に嵌め込まれる。シェル６の突出部６５と係合穴５４との間の係合は、肋部６５１によって補強される。シェル６の係合スロット６２は、収納部５の凸状部片５３を収納する。これにより、シェル６は、絶縁性本体２にしっかりと固着される。図５に示すように、実装されたシェル６の底部６４と第２シールド２の本体部４０の底面は、実質的に同じ平面に位置する。
【００１８】
該カプセル構造１００を具備する電子カードが捻られても、シェル６は、突出部６５が絶縁性本体２の係合穴５４に挿入されることによって、第２シールド３から外れ難い。
【００１９】
他の実施形態において、シェル６の突出部６５と収納部５の係合穴５４とは、それぞれ側延在部６０の他の部分と、収納部５の他の部分とに設置しても良い。係合穴５４は、突出部６５にしか係合しない。もちろん、係合穴がシェル６に形成されるとともに、突出部が収納部に設置されても良い。
【００２０】
以上、本考案について、最良の実施の形態を参照して詳細に説明したが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００２１】
【図１】本考案における電子カードのカプセル構造の分解斜視図である。
【図２】図１に示す電子カードのカプセル構造の他の分解斜視図である。
【図３】図１に示す電子カードのカプセル構造の記号Ｃの局部拡大斜視図である。
【図４】図１に示す電子カードのカプセル構造のシェルの斜視図である。
【図５】図１に示す電子カードのカプセル構造の組み合わせの斜視図である。
【符号の説明】
【００２２】
２  絶縁性本体
３  第１シールド
４  第２シールド
５  収納部
６  シェル
２１  延在ビーム
２２  主体ビーム
２３  連接ビーム
２４  尾ビーム
２５  収納スペース
３０  側辺
３１  第２定位片
３２  第３定位片
３３  第１定位片
３４  開口部
４０  本体部
４１  突出片
４２  係合部
４３  側壁
５０  第１側壁
５１  前壁
５２  第２側壁
５３  凸状部片
５４  係合穴
５５  導入柱
５６  頂壁
６０  側延在部
６１  前延在部
６２  係合スロット
６３  後部
６４  底部
６５  突出部
２１０  ガイド面
２１１  凹部
２１２  凹溝
２１３  段差部
２１４  第２定位溝
２１５  端面
２２０  第１定位溝
２４１  第３定位溝
２４２  定位スロット
４２１  係合溝
５６０  孔
６３０  係合部
６５１  肋部
【図１】
0003134126.tif 000003
【図２】
0003134126.tif 000004
【図３】
0003134126.tif 000005
【図４】
0003134126.tif 000006
【図５】
0003134126.tif 000007